(57)【要約】【課題】画像データの管理がしやすく、使い勝手のよい撮影装置を提供する。【解決手段】デジタルカメラ１で撮影した画像データを無線でポータブルストレージ２に送信し、ポータブルストレージ２に記録する。この場合において、あらかじめ画像データの記録先とするポータブルストレージ２をデジタルカメラ１に登録する。デジタルカメラ１は、登録されたポータブルストレージ２との間でのみ通信を行い、撮影した画像データの記録を行う。【選択図】  図１
2006303573.tif 000002
【特許請求の範囲】
【請求項１】
撮影により得られた画像データを無線通信手段によって外部のポータブルストレージに無線で転送し、該ポータブルストレージに記録する撮影装置であって、
前記画像データの記録先とするポータブルストレージから該ポータブルストレージに固有の識別情報を取得する識別情報取得手段と、
前記識別情報取得手段で取得した前記ポータブルストレージの識別情報を記憶する識別情報記憶手段と、
前記識別情報記憶手段に記憶された識別情報を有するポータブルストレージに撮影された画像データが転送されるように前記無線通信手段による通信を制御する通信制御手段と、
を備えたことを特徴とする撮影装置。
【請求項２】
前記識別情報記憶手段に複数のポータブルストレージの識別情報が記憶されている場合において、前記通信制御手段は、全てのポータブルストレージに画像データが転送されるように前記無線通信手段による通信を制御することを特徴とする請求項１に記載の撮影装置。
【請求項３】
前記識別情報記憶手段に複数のポータブルストレージの識別情報が記憶されている場合において、前記識別情報記憶手段に識別情報が記憶されたポータブルストレージの中から画像データの記録先とするポータブルストレージを選択する選択手段を有し、前記通信制御手段は、前記選択手段で選択されたポータブルストレージに画像データが転送されるように前記無線通信手段による通信を制御することを特徴とする請求項１又は２に記載の撮影装置。
【請求項４】
前記識別情報記憶手段に複数のポータブルストレージの識別情報が記憶されている場合において、
前記識別情報記憶手段に識別情報が記憶されたポータブルストレージの空き容量の情報を取得する空き容量取得手段と、
前記識別情報記憶手段に識別情報が記憶されたポータブルストレージの中から空き容量が最も多い又は最も少ないポータブルストレージを画像の記録先に設定する記録先設定手段と、
を有し、前記通信制御手段は、前記記録先設定手段で設定されたポータブルストレージに画像データが転送されるように前記無線通信手段による通信を制御することを特徴とする請求項１に記載の撮影装置。
【請求項５】
前記識別情報記憶手段に複数のポータブルストレージの識別情報が記憶されている場合において、
前記識別情報記憶手段に識別情報が記憶されたポータブルストレージの電池残量の情報を取得する電池残量取得手段と、
前記識別情報記憶手段に識別情報が記憶されたポータブルストレージの中から電池残量が最も多い又は最も少ないポータブルストレージを画像の記録先に設定する記録先設定手段と、
を有し、前記通信制御手段は、前記記録先設定手段で設定されたポータブルストレージに画像データが転送されるように前記無線通信手段による通信を制御することを特徴とする請求項１に記載の撮影装置。
【請求項６】
撮影により得られた画像データを無線通信手段によって外部のポータブルストレージに無線で転送し、該ポータブルストレージに記録する撮影装置であって、
モードを選択するモード選択手段と、
モードごとに指定されたポータブルストレージから識別情報を取得する識別情報取得手段と、
前記識別情報取得手段で取得した識別情報をモードごとに記憶する識別情報記憶手段と、
前記モード選択手段で選択されたモードに対応するポータブルストレージに画像データが転送されるように前記無線通信手段による通信を制御する通信制御手段と、
を備えたことを特徴とする撮影装置。
【請求項７】
前記モード選択手段によって選択可能なモードが、静止画を撮影する静止画撮影モードと動画を撮影する動画撮影モードであることを特徴とする請求項６に記載の撮影装置。
【請求項８】
前記モード選択手段によって選択可能なモードが、シーンごとの撮影モードであることを特徴とする請求項６に記載の撮影装置。
【請求項９】
撮影により得られた画像データを無線通信手段によって外部のポータブルストレージに無線で転送し、該ポータブルストレージに記録する撮影装置であって、
撮影条件を設定する撮影条件設定手段と、
撮影条件ごとに指定されたポータブルストレージから識別情報を取得する識別情報取得手段と、
前記識別情報取得手段で取得した識別情報を撮影条件ごとに記憶する識別情報記憶手段と、
前記撮影条件設定手段で設定された撮影条件に対応するポータブルストレージに画像データが転送されるように前記無線通信手段による通信を制御する通信制御手段と、
を備えたことを特徴とする撮影装置。
【発明の詳細な説明】
【技術分野】
【０００１】
本発明は、撮影装置に係り、特に撮影により得られた画像データを外部のポータブルストレージに関する。
【背景技術】
【０００２】
一般にデジタルカメラで撮影された画像データは着脱自在なメモリカードに記録される。このメモリカードの記憶容量は有限であるため、容量がなくなった場合には新たなメモリカードに交換する必要があるが、予備のメモリカードを持たないユーザの場合、常にメモリカードの残容量を気にしながら撮影しなければならないといった問題があった。
【０００３】
そこで、カメラに無線通信機能を付加し、メモリカードの残容量がなくなると、画像データを自動的にサーバ等の外部機器に転送するようにしたデジタルカメラが提案されている（たとえば、特許文献１−４）。
【特許文献１】特開平１０−３３６５７４号公報
【特許文献２】特開２００１−１１１８８４号公報
【特許文献３】特開２００２−８４４４８号公報
【特許文献４】特開２００２−１７１４３４号公報
【発明の開示】
【発明が解決しようとする課題】
【０００４】
しかしながら、上記特許文献に記載された従来のデジタルカメラは、単にメモリカードの残容量が無くなった場合に画像データをサーバ等の外部機器に転送するだけの構成のため、画像データの管理がしにくいという欠点があった。また、転送先の外部機器の記憶容量に空きがなくなると、データの記録ができなくなるという欠点もあった。
【０００５】
本発明は、このような事情に鑑みて成されたもので、画像データの管理がしやすく、使い勝手のよい撮影装置を提供することを目的とする。
【課題を解決するための手段】
【０００６】
請求項１に記載の発明は、前記目的を達成するために、撮影により得られた画像データを無線通信手段によって外部のポータブルストレージに無線で転送し、該ポータブルストレージに記録する撮影装置であって、前記画像データの記録先とするポータブルストレージから該ポータブルストレージに固有の識別情報を取得する識別情報取得手段と、前記識別情報取得手段で取得した前記ポータブルストレージの識別情報を記憶する識別情報記憶手段と、前記識別情報記憶手段に記憶された識別情報を有するポータブルストレージに撮影された画像データが転送されるように前記無線通信手段による通信を制御する通信制御手段と、を備えたことを特徴とする。
【０００７】
請求項１に記載の発明によれば、識別情報を取得したポータブルストレージに画像データが記録される。これにより、特定のポータブルストレージに画像データを記録でき、画像データの管理が容易になる。
【０００８】
請求項２に記載の発明は、前記目的を達成するために、請求項１に記載の発明において、前記識別情報記憶手段に複数のポータブルストレージの識別情報が記憶されている場合において、前記通信制御手段は、全てのポータブルストレージに画像データが転送されるように前記無線通信手段による通信を制御することを特徴とする。
【０００９】
請求項２に記載の発明によれば、複数のポータブルストレージの識別情報が識別情報記憶手段に記憶されている場合、全てのポータブルストレージに画像データが記憶される。これにより、簡単に画像データのバックアップを取れるようになり、画像データの管理が容易になる。
【００１０】
請求項３に記載の発明は、前記目的を達成するために、請求項１又は２に記載の発明において、前記識別情報記憶手段に複数のポータブルストレージの識別情報が記憶されている場合において、前記識別情報記憶手段に識別情報が記憶されたポータブルストレージの中から画像データの記録先とするポータブルストレージを選択する選択手段を有し、前記通信制御手段は、前記選択手段で選択されたポータブルストレージに画像データが転送されるように前記無線通信手段による通信を制御することを特徴とする。
【００１１】
請求項３に記載の発明によれば、識別情報記憶手段に複数のポータブルストレージの識別情報が記憶されている場合、その中から選択された特定のポータブルストレージにのみ画像データが記録される。これにより、複数のポータブルストレージが使用可能な場合であっても、特定のポータブルストレージにのみ画像データを記録することができ、画像データの管理が容易になる。
【００１２】
請求項４に記載の発明は、前記目的を達成するために、請求項１に記載の発明において、前記識別情報記憶手段に複数のポータブルストレージの識別情報が記憶されている場合において、前記識別情報記憶手段に識別情報が記憶されたポータブルストレージの空き容量の情報を取得する空き容量取得手段と、前記識別情報記憶手段に識別情報が記憶されたポータブルストレージの中から空き容量が最も多い又は最も少ないポータブルストレージを画像の記録先に設定する記録先設定手段と、を有し、前記通信制御手段は、前記記録先設定手段で設定されたポータブルストレージに画像データが転送されるように前記無線通信手段による通信を制御することを特徴とする。
【００１３】
請求項４に記載の発明によれば、識別情報記憶手段に複数のポータブルストレージの識別情報が記憶されている場合、最も空き容量の多い又は最も空き容量の少ないポータブルストレージに画像データが記録される。これにより、効率よく画像データをポータブルストレージに記録できる。
【００１４】
請求項５に記載の発明は、前記目的を達成するために、請求項１に記載の発明において、前記識別情報記憶手段に複数のポータブルストレージの識別情報が記憶されている場合において、前記識別情報記憶手段に識別情報が記憶されたポータブルストレージの電池残量の情報を取得する電池残量取得手段と、前記識別情報記憶手段に識別情報が記憶されたポータブルストレージの中から電池残量が最も多い又は最も少ないポータブルストレージを画像の記録先に設定する記録先設定手段と、を有し、前記通信制御手段は、前記記録先設定手段で設定されたポータブルストレージに画像データが転送されるように前記無線通信手段による通信を制御することを特徴とする。
【００１５】
請求項５に記載の発明によれば、識別情報記憶手段に複数のポータブルストレージの識別情報が記憶されている場合、電池残量の最も多い又は最も少ないポータブルストレージに画像データが転送され、記録される。これにより、効率よくポータブルストレージに画像データを記録することができる。
【００１６】
請求項６に記載の発明は、前記目的を達成するために、撮影により得られた画像データを無線通信手段によって外部のポータブルストレージに無線で転送し、該ポータブルストレージに記録する撮影装置であって、モードを選択するモード選択手段と、モードごとに指定されたポータブルストレージから識別情報を取得する識別情報取得手段と、前記識別情報取得手段で取得した識別情報をモードごとに記憶する識別情報記憶手段と、前記モード選択手段で選択されたモードに対応するポータブルストレージに画像データが転送されるように前記無線通信手段による通信を制御する通信制御手段と、を備えたことを特徴とする。
【００１７】
請求項６に記載の発明によれば、設定したモードに応じて画像データが特定のポータブルストレージに記録される。これにより、画像データの管理が容易になる。
【００１８】
請求項７に記載の発明は、前記目的を達成するために、請求項６に記載の発明において、前記モード選択手段によって選択可能なモードが、静止画を撮影する静止画撮影モードと動画を撮影する動画撮影モードであることを特徴とする。
【００１９】
請求項７に記載の発明によれば、静止画の画像データの記録先と動画の画像データの記録先を個別に設定できる。これにより、撮影した画像データの管理が容易になる。
【００２０】
請求項８に記載の発明は、前記目的を達成するために、請求項６に記載の発明において、前記モード選択手段によって選択可能なモードが、シーンごとの撮影モードであることを特徴とする。
【００２１】
請求項８に記載の発明によれば、撮影モードごと個別に記録先を設定できる。これにより、撮影した画像データの管理が容易になる。
【００２２】
請求項９に記載の発明は、前記目的を達成するために、撮影により得られた画像データを無線通信手段によって外部のポータブルストレージに無線で転送し、該ポータブルストレージに記録する撮影装置であって、撮影条件を設定する撮影条件設定手段と、撮影条件ごとに指定されたポータブルストレージから識別情報を取得する識別情報取得手段と、前記識別情報取得手段で取得した識別情報を撮影条件ごとに記憶する識別情報記憶手段と、前記撮影条件設定手段で設定された撮影条件に対応するポータブルストレージに画像データが転送されるように前記無線通信手段による通信を制御する通信制御手段と、を備えたことを特徴とする。
【００２３】
請求項９に記載の発明によれば、設定した撮影条件に応じて画像データが特定のポータブルストレージに記録される。これにより、撮影条件ごと画像データを記録でき、画像データの管理が容易になる。
【発明の効果】
【００２４】
本発明によれば、画像データの管理を容易にし、使い勝手を向上させることができる。
【発明を実施するための最良の形態】
【００２５】
以下、添付図面に従って本発明に係る撮影装置を実施するための最良の形態について詳説する。
【００２６】
図１、図２は、それぞれ本発明が適用されたデジタルカメラの構成を示す正面斜視図と背面斜視図である。
【００２７】
同図に示すように、このデジタルカメラ１は、撮影した画像データを外部のポータブルストレージ２に無線で転送し、記録できるように構成されており、そのカメラボディ１０は、薄い矩形の箱状に形成されている。
【００２８】
カメラボディ１０の正面には、図１に示すように、撮影レンズ１２、ストロボ１４、ファインダ窓１６等が設けられており、上面には、シャッタボタン１８、電源スイッチ２０等が設けられている。
【００２９】
また、図２に示すように、カメラボディ１０の背面には、モニタ２２、ファインダ接眼部２４、モードスイッチ２６、マクロボタン２８、ズームレバー３０、ストロボボタン３２、フォトモードボタン３４、ＭＥＮＵ／ＯＫボタン３６、ＢＡＣＫボタン３８等が設けられている。
【００３０】
なお、図示されていないが、カメラボディ１０の底面には、開閉自在な電池蓋が設けられており、この電池蓋を開けると、電池を装着するための電池挿入部と、メモリカードを装着するためのカードスロットが露出する。
【００３１】
撮影レンズ１２は、沈胴式のズームレンズで構成されており、撮影時にカメラボディ１２から繰り出され、非撮影時はカメラボディ１２内に沈胴する。
【００３２】
シャッタボタン１８は、いわゆる「半押し」と「全押し」とからなる２段ストローク式のスイッチで構成されている。デジタルカメラ１は、このシャッタボタン１８の「半押し」によってＡＥ（Automatic Exposure）、ＡＦ（Auto Focus）、ＡＷＢ（Automatic White Balance）が行われ、「全押し」によって画像の記録が行われる。
【００３３】
モニタ２２は、カラー表示が可能な液晶モニタで構成されている。このモニタ２２は、撮影済み画像の表示画面として利用されるとともに、各種設定時にユーザインターフェースとして利用される。また、撮影時には、必要に応じてスルー画像が表示されて、画角確認用の電子ファインダとして利用される。
【００３４】
モードスイッチ２６は、デジタルカメラ１のモードを切り替えるスイッチとして機能し、「再生位置」、「静止画撮影位置」、「動画撮影位置」の間をスライド自在に設けられている。デジタルカメラ１は、このモードスイッチ２６を「再生位置」に合わせることにより、「再生モード」に設定され、撮影済み画像の再生が可能になる。また、「静止画撮影位置」に合わせることにより、「静止画撮影モード」に設定され、静止画の撮影が可能になり、「動画撮影位置」に合わせることにより、「動画撮影モード」に設定され、動画の撮影が可能になる。
【００３５】
マクロボタン２８は、撮影時にマクロ機能のＯＮ／ＯＦＦの切り替えを指示するボタンとして機能するとともに、再生時に画像のコマ戻しを指示するボタンとして機能する。また、メニュー画面等でカーソルの左方向の移動を指示するボタンとして機能する。
【００３６】
ズームレバー３０は、上下方向に揺動自在に設けられており、撮影時にズーミングを指示するレバーとして機能するとともに、再生時に再生画像の拡大縮小を指示するレバーとして機能する。また、メニュー画面等でカーソルの上下方向の移動を指示するボタンとして機能する。
【００３７】
ストロボボタン３２は、撮影時にストロボ機能の切り替えを指示するボタンとして機能するとともに、再生時に画像のコマ送りを指示するボタンとして機能する。また、メニュー画面等でカーソルの右方向の移動を指示するボタンとして機能する。
【００３８】
フォトモードボタン３４は、撮影モード等の設定画面をモニタ２２に呼び出すボタンとして機能する。ユーザは、このフォトモードボタン３４を押すことによってモニタ２２に呼び出される設定画面で露出制御モードの選択、シーン撮影モードの選択、撮影画像の記録画素数の設定、感度の設定、色調や階調の設定、プリント予約の設定等が行われる。
【００３９】
ＭＥＮＵ／ＯＫボタン３６は、メニュー画面を呼び出すボタンとして機能するとともに（ＭＥＮＵボタンの機能）、選択内容の確定、処理の実行等を指示するボタンとして機能する（ＯＫボタンの機能）。
【００４０】
ＢＡＣＫボタン３８は、入力操作のキャンセル等を指示するボタンとして機能するとともに、モニタ表示のＯＮ／ＯＦＦの切り替えを指示するボタンとして機能する。
【００４１】
ポータブルストレージ２は、図１に示すように、携帯可能な薄いカード状に形成されており、その表面に電源ボタン４０、登録ボタン４２等が設けられている。登録ボタン４２は、ポータブルストレージ２をデジタルカメラ１に登録する際、使用するもので、その使用方法については、後に詳述する。
【００４２】
図３は、図１及び図２に示したデジタルカメラ１とポータブルストレージ２の電気的構成を示すブロック図である。
【００４３】
まず、デジタルカメラ１の構成について説明する。図３に示すように、デジタルカメラ１は、撮影レンズ１２、撮像素子５０、アナログ信号処理部５２、Ａ／Ｄ変換器５３、画像入力コントローラ５４、デジタル信号処理部５６、圧縮伸張処理部５８、表示制御部６０、モニタ２２、無線通信部６２、電源制御部６４、電池６６、ストロボ制御部６８、操作部７０（シャッタボタン１８、電源スイッチ２０、モードスイッチ２６、マクロボタン２８、ズームレバー３０、ストロボボタン３２、フォトモードボタン３４、ＭＥＮＵ／ＯＫボタン３６、ＢＡＣＫボタン３８等）、ＣＰＵ７２、ＲＡＭ７４、ＲＯＭ７６、ＥＥＰＲＯＭ７８、メディアコントローラ８０、メモリカード８２等で構成されている。
【００４４】
デジタルカメラ１の全体の動作は、ＣＰＵ７２によって統括制御されており、ＣＰＵ７２は、操作部７０からの入力に応じて、ＲＡＭ７４を作業領域としながら、所定の制御プログラムに従ってデジタルカメラ１の各部を制御する。ＲＯＭ７６には、このＣＰＵ７２が実行する制御プログラム及び制御に必要な各種データが記録されている。また、ＥＥＰＲＯＭ７８には、メニュー画面等で設定したユーザの各種設定情報や登録されたポータブルストレージ２のＩＤ等が記録される。
【００４５】
撮影レンズ１２に入射した光は、絞り１３を介して撮像素子５０の受光面に入射する。撮像素子５０は、所定のカラーフィルタ配列のカラーＣＣＤで構成されており、この撮像素子５０の受光面に入射した被写体光は、受光面に配列されたフォトダイオードによって光電変換され、画像信号として撮像素子５０から出力される。
【００４６】
アナログ信号処理部５２は、ＣＤＳ（相関二重サンプリング）、ＡＧＣ（ゲイン・コントロール・アンプ回路）等を備え、撮像素子５０から出力された画像信号に対して所要の信号処理を施す。アナログ信号処理部５２で所要の信号処理が施されたアナログの画像信号は、Ａ／Ｄ変換器５３でデジタルの画像信号に変換されたのち、画像入力コントローラ５４を介してＲＡＭ７４に取り込まれる。
【００４７】
デジタル信号処理部５６は、ＣＰＵ７２の制御の下、ＲＡＭ７４に取り込まれた画像信号に対して色分離処理、ガンマ補正処理、輪郭強調補正処理、色差マトリクス処理等の所要の信号処理を施して、輝度データ（Ｙ）と色差データ（Ｃｒ、Ｃｂ）とからなる画像データ（ＹＵＶ）を生成する。
【００４８】
圧縮伸張処理部５８は、ＣＰＵ７２の制御の下、メモリカード８２又はポータブルストレージ２に記録する画像データに対して所要の圧縮処理を施すとともに、メモリカード８２又はポータブルストレージ２から読み出した圧縮画像データに対して所要の伸張処理を施す。
【００４９】
表示制御部６０は、ＣＰＵ７２の制御の下、モニタ２２の表示を制御し、入力された画像データをモニタ表示用のデータ形式に変換して、モニタ２２に出力する。
【００５０】
無線通信部６２は、ＣＰＵ７２の制御の下、ポータブルストレージ２に設けられた無線通信部６２との間で所定の無線通信規格に従ってデータの送受信を行う。なお、この無線通信部６２には、公知の無線通信手段で構成されるものとし、たとえばブルートゥース、ワイヤレスＵＳＢ、無線タグ等の無線通信手段で構成される。
【００５１】
電源制御部６４は、ＣＰＵ７２の制御の下、電池６６からデジタルカメラ１の各部に供給する電力を制御し、ストロボ制御部６８は、ＣＰＵ７２の制御の下、ストロボ１４の発光を制御する。また、メディアコントローラ８０は、ＣＰＵ７２の制御の下、メモリカード８２への画像データの書き込み、読み出しを制御する。
【００５２】
次に、ポータブルストレージ２の構成について説明する。図３に示すように、ポータブルストレージ２は、マイコン９０、記憶メディア９２、無線通信部９４、電源制御部９６、電池９８、電池残量検出部１００、操作部（電源スイッチ４０、登録ボタン４２等）１０２等で構成されている。
【００５３】
マイコン９０は、ＣＰＵ、ＲＯＭ、ＲＡＭ等を備えており、ＲＯＭに格納された所定の制御プログラムに従ってポータブルストレージ２の全体の動作を統括制御する。なお、このＲＯＭには、制御プログラムの他、各ポータブルストレージに個別に付与されるＩＤが格納されている。
【００５４】
記憶メディア９２は、マイコン９０による制御の下、データの記録、消去を行い、この記憶メディア９２にデジタルカメラ１で撮像された画像データが記録される。
【００５５】
無線通信部９４は、マイコン９０による制御の下デジタルカメラ１に設けられた無線通信部６２との間で無線によるデータ通信を行う。
【００５６】
電源制御部９６は、マイコン９０の制御の下、電池９８からポータブルストレージ２の各部に供給される電力を制御する。電池残量検出部１００は、電池９８の残容量を検出し、マイコン９０に出力する。
【００５７】
次に、上記のように構成された本実施の形態のデジタルカメラ１の動作について説明する。
【００５８】
本実施の形態のデジタルカメラ１では、撮影した画像データの記録先として、メモリカード８２とポータブルストレージ２の二つが用意されている。記録先の選択は、メニュー画面で行われ、メモリカード８２とポータブルストレージ２のいずれか一方を選択できるようにされている。
【００５９】
メモリカード８２を使用する場合は、カメラボディ１２に設けられたカードスロット（図示せず）にメモリカード８２を装填する。ＣＰＵ７２は、このカードスロットに装填されたメモリカード８２に撮影した画像データを記録するように制御する。
【００６０】
一方、ポータブルストレージ２を使用する場合は、ポータブルストレージ２をデジタルカメラ１に登録する。この作業は、次のように行われる。
【００６１】
まず、デジタルカメラ１のモードをＩＤ登録モードにする。ＩＤ登録モードの設定はメニュー画面で行う。一方、ポータブルストレージ２は、電源ボタン４０を押して電源をＯＮにする。この状態でデジタルカメラ１の登録ボタン（ここでは、シャッタボタン１８）を押すとともに、ポータブルストレージ２の登録ボタン４２を押す。
【００６２】
デジタルカメラ１の登録ボタン（シャッタボタン１８）とポータブルストレージ２の登録ボタン４２が押されると、互いの無線通信部６２、９４を通じて通信が行われ、ポータブルストレージ２のＩＤ情報がデジタルカメラ１に送信される。デジタルカメラ１のＣＰＵ７２は、ポータブルストレージ２から取得したＩＤをＥＥＰＲＯＭ７８の所定の記憶領域に記録される。
【００６３】
以上により、ポータブルストレージ２の登録が完了する。ＣＰＵ７２は、ポータブルストレージ２が記録先に選択されると、この登録されたポータブルストレージ（ＥＥＰＲＯＭ７８にＩＤが記録されたポータブルストレージ）に画像データを転送し、画像データの記録を行う。また、画像データの読み出しを行い、画像の再生を行う。
【００６４】
このように、本実施の形態のデジタルカメラ１では、登録された特定のポータブルストレージ２との間でのみ通信を行い、画像データの記録を行うため、用途に分けて記録先を変えることができ、画像データの管理を容易に行うことができる。
【００６５】
なお、記録先とするポータブルストレージを切り換える場合は、再度、上記のＩＤの登録作業を行う。この場合、先に記録されていたＩＤが消去され、新たに登録されたＩＤがＥＥＰＲＯＭ７８に記録される。
【００６６】
なお、上述したポータブルストレージの登録方法は一例であり、他の登録方法を採用するようにしてもよい。
【００６７】
また、上記の登録方法でポータブルストレージを登録する場合、デジタルカメラ側の登録ボタンは、シャッタボタン１８である必要はなく、他のボタンでもよいし、また、専用の登録ボタンを設けるようにしてもよい。
【００６８】
また、ＩＤ登録モードへの切り換えもメニュー画面で行うのではなく、専用のボタン等を設けて切り換えるようにしてもよい。
【００６９】
なお、上記の実施の形態では、画像データの記録先をユーザが選択するようにしているが、ユーザが記録先をメモリカード８２に設定した場合であっても、カードスロットにメモリカード８２が装填されていない場合は、記録先が自動的にポータブルストレージ２に切り換えられるようにしてもよい。同様にユーザがポータブルストレージ２を記録先に設定した場合であっても、ポータブルストレージ２が登録されていない場合は、自動的に記録先がメモリカード８２に切り換えられるようにしてもよい。
【００７０】
また、メモリカード８２が記録先に設定されている場合であっても、その空き容量が無くなった場合は、自動的に記録先がポータブルストレージ２に切り換えられるようにすることが好ましい（ただし、ポータブルストレージ２が登録されており、その空き容量がある場合）。同様に、ポータブルストレージ２が記録先に設定されている場合であっても、その空き容量が無くなった場合や電池９８が切れた場合は、自動的に記録先がメモリカード８２に切り換えられるようにすることが好ましい（ただし、メモリカード８２が装填されている場合であって、その空き容量がある場合）。
【００７１】
なお、本実施の形態では、ポータブルストレージ２を一枚のみ登録できるようにしているが、複数枚登録できるようにしてもよい。この場合、登録された中から選択した一枚又は複数のポータブルストレージ２にのみ画像データを記録するようにしてもよい。また、登録された全てのポータブルストレージ２に画像データを記録するようにしてもよい。選択したポータブルストレージ２にのみ画像データを記録する場合は、用途に応じた画像データの管理が更に容易になり、また、全てのポータブルストレージ２に画像データを記録する場合は、バックアップを簡単に取ることができるようになる。
【００７２】
なお、全てのポータブルストレージ２に画像データを記録する場合、再生は、たとえば所定の順番（登録順等）で各ポータブルストレージ２から画像データを読み出して、画像を再生するものとする。あるいは、選択したポータブルストレージ２から画像データを読み出して、画像を再生するものとする。
【００７３】
また、ポータブルストレージ２の選択は、たとえばメニュー画面で行うものとする。この場合、たとえば図４に示すように、選択可能なポータブルストレージ２のＩＤをモニタ２２に一覧表示させ、その中から一つ又は複数のポータブルストレージ２のＩＤを選択して、記録先を指定するようにする。このとき、各ポータブルストレージ２の空き容量（撮影可能枚数）の情報、電池残量の情報を表示させるようにしてもよい。
【００７４】
また、選択したポータブルストレージ２に画像データを記録する場合において、その選択されたポータブルストレージ２の空き容量が無い場合、あるいは電池残量がない場合は、自動的に他のポータブルストレージ２が記録先になるように切り換えるようにしてもよい。この場合、所定の順番（登録順等）で記録先を切り換えるようにしてもよいし、空き容量の多い順あるいは少ない順に切り換えるようにしてもよい。また、電池残量の多い順又は少ない順に切り換えるようにしてもよい。
【００７５】
また、複数のポータブルストレージ２を登録する場合の手順は、上記と同じ手順で行うものとし、登録された全てのポータブルストレージ２のＩＤがＥＥＰＲＯＭ７８に記録される。
【００７６】
また、登録したＩＤの消去は、登録と同様にメニュー画面で行うものとし、メニュー画面で消去作業を行うと、ＥＥＰＲＯＭ７８に記録されたＩＤが消去される。これにより、以後そのポータブルストレージ２とは通信が行われなくなる。
【００７７】
なお、複数のポータブルストレージ２が登録されている場合の記録先の設定方法は、上記のものに限定されるものではなく、他の方法で設定するようにしてもよい。
【００７８】
以下、複数のポータブルストレージ２が登録されている場合における記録先の設定方法について説明する。
【００７９】
なお、ここでは、（１）ポータブルストレージの空き容量に応じて記録先を切り換える場合、（２）ポータブルストレージの電池残量に応じて記録先を切り換える場合、（３）動画撮影と静止画撮影のモードに応じて記録先を切り換える場合、（４）露出制御のモードに応じて記録先を切り換える場合、（５）シーン撮影モードに応じて記録先を切り換える場合、（６）撮影条件に応じて記録先を切り換える場合について説明する。
【００８０】
まず、（１）ポータブルストレージの空き容量に応じて記録先を切り換える場合について説明する。
【００８１】
図５は、ポータブルストレージの空き容量に応じて記録先を自動設定する場合の処理手順を示すフローチャートである。
【００８２】
まず、ＣＰＵ７２は、撮影された画像データの記録先がポータブルストレージに設定されているか否か判定する（ステップＳ１０）。
【００８３】
記録先がポータブルストレージに設定されていると判定した場合は、登録されているポータブルストレージを検索する（ステップＳ１１）。すなわち、ＥＥＰＲＯＭ７８に記録されているＩＤを検索する。
【００８４】
そして、その検索結果に基づいて、ポータブルストレージが登録されているか否か判定する（ステップＳ１２）。
【００８５】
ここで、ポータブルストレージの登録がないと判定すると、ＣＰＵ７２は、記録先の設定をメモリカードに切り換える（ステップＳ１３）。
【００８６】
なお、メモリカードの有無を判定し、メモリカードがある場合のみ、記録先をメモリカードに切り換えるようにしてもよい。また、この場合において、メモリカードなしと判定した場合は、モニタにエラーメッセージを表示させるようにしてもよい。また、メモリカードがある場合であっても、そのメモリカードの空き容量がない場合は、モニタ２２にエラーメッセージを表示させるようにしてもよい。
【００８７】
上記ステップＳ１２でポータブルストレージが登録されていると判定すると、次にＣＰＵ７２は、複数の登録があるか否か判定する（ステップＳ１４）。
【００８８】
ここで、ＥＥＰＲＯＭ７８に記録されているＩＤが一つのみで複数のポータブルストレージが登録されていないと判定すると、ＣＰＵ７２は、そのＥＥＰＲＯＭ７８にＩＤが登録されている一枚のポータブルストレージを記録先に設定する（ステップＳ１５）。
【００８９】
なお、この場合、登録されている一枚のポータブルストレージの空き容量、電池残量を検出し、空き容量がない場合、あるいは電池残量がない場合は、記録先をメモリカードに切り換えるようにしてもよい（ただし、メモリカードが装填されている場合）。あるいは、モニタ２２にエラーメッセージを表示させるようにしてもよい。
【００９０】
上記ステップＳ１４で複数のポータブルストレージが登録されていると判定すると、ＣＰＵ７２は、登録されている各ポータブルストレージの空き容量を検出する（ステップＳ１６）。空き容量の検出は、無線通信部６２、９４を介して各ポータブルストレージ２に空き容量検出のコマンドを出力する。各ポータブルストレージ２のマイコン９０は、このデジタルカメラ１からのコマンドに応じて記憶メディア９２の空き容量を検出し、その検出結果をデジタルカメラ１に送信する。デジタルカメラ１のＣＰＵ７２は、各ポータブルストレージ２から取得した空き容量の検出結果に基づいて最も空き容量の少ないポータブルストレージを記録先に設定する（ステップＳ１７）。
【００９１】
なお、登録されているポータブルストレージがすべて空き容量なしの場合、自動的に記録先をメモリカードに切り換えるようにしてもよい（ただし、メモリカードが装填されている場合）。あるいは、モニタ２２にエラーメッセージを表示させるようにしてもよい。
【００９２】
また、同じ空き容量のものがある場合は、たとえば、登録が先のものを優先して記録先に設定するようにする。
【００９３】
以上のように記録先とするポータブルストレージを設定し、設定した記録先を例えば図６に示すようにモニタ２２に表示する（ステップＳ１８）。この後、ＣＰＵ７２は、撮影実行の指示の有無を判定し（ステップＳ１９）、指示を受けた後、撮影を実行して、撮影した画像データを設定された記録先に記録する（ステップＳ２０）。
【００９４】
このように、複数のポータブルストレージが登録されている場合は、空き容量の最も少ないポータブルストレージを記録先に設定して、画像データの記録を行うようにしてもよい。
【００９５】
なお、本例では、空き容量が最も少ないポータブルストレージを記録先に設定するようにしたが、空き容量が最も多いポータブルストレージを記録先に設定するようにしてもよい。
【００９６】
また、記録する画像データのサイズによっては、記録先に設定されたポータブルストレージに記録できない場合もあるので、この場合は、当該画像データが記録可能なポータブルストレージの中で最も空き容量が少ないポータブルストレージを記録先に設定するようにしてもよい。
【００９７】
次に、（２）ポータブルストレージの電池残量に応じて記録先を切り換える場合について説明する。
【００９８】
図７は、ポータブルストレージの電池残量に応じて記録先を自動設定する場合の処理手順を示すフローチャートである。
【００９９】
まず、ＣＰＵ７２は、撮影された画像データの記録先がポータブルストレージに設定されているか否か判定する（ステップＳ３０）。
【０１００】
記録先がポータブルストレージに設定されていると判定した場合は、登録されているポータブルストレージを検索する（ステップＳ３１）。すなわち、ＥＥＰＲＯＭ７８に記録されているＩＤを検索する。
【０１０１】
そして、その検索結果に基づいて、ポータブルストレージが登録されているか否か判定する（ステップＳ３２）。
【０１０２】
ここで、ポータブルストレージの登録がないと判定すると、ＣＰＵ７２は、記録先の設定をメモリカードに切り換える（ステップＳ３３）。
【０１０３】
なお、メモリカードの有無を判定し、メモリカードがある場合のみ、記録先をメモリカードに切り換えるようにしてもよい。この場合、メモリカードなしと判定した場合は、モニタにエラーメッセージを表示させるようにしてもよい。また、メモリカードがある場合であっても、そのメモリカードの空き容量がない場合は、モニタ２２にエラーメッセージを表示させるようにしてもよい。
【０１０４】
上記ステップＳ３２でポータブルストレージが登録されていると判定すると、次にＣＰＵ７２は、複数の登録があるか否か判定する（ステップＳ３４）。
【０１０５】
ここで、ＥＥＰＲＯＭ７８に記録されているＩＤが一つのみで複数のポータブルストレージが登録されていないと判定すると、ＣＰＵ７２は、そのＥＥＰＲＯＭ７８にＩＤが登録されている一枚のポータブルストレージを記録先に設定する（ステップＳ３５）。
【０１０６】
なお、この場合、登録されている一枚のポータブルストレージの空き容量、電池残量を検出し、空き容量がない場合あるいは電池残量がない場合は、記録先をメモリカードに切り換えるようにしてもよい（ただし、メモリカードが装填されている場合）。あるいは、モニタ２２にエラーメッセージを表示させるようにしてもよい。
【０１０７】
上記ステップＳ３４で複数のポータブルストレージが登録されていると判定すると、ＣＰＵ７２は、登録されている各ポータブルストレージの電池残量を検出する（ステップＳ３６）。電池残量の検出は、無線通信部６２、９４を介して各ポータブルストレージ２に電池残量検出のコマンドを出力する。各ポータブルストレージ２のマイコン９０は、このデジタルカメラ１からのコマンドに応じて電池残量検出部１００で電池９８の残容量を検出し、その検出結果をデジタルカメラ１に送信する。デジタルカメラ１のＣＰＵ７２は、各ポータブルストレージ２から取得した電池残量の検出結果に基づいて最も電池残量の多いポータブルストレージを記録先に設定する（ステップＳ３７）。
【０１０８】
なお、登録されているポータブルストレージがすべて電池残量なしの場合、自動的に記録先をメモリカードに切り換えるようにしてもよい（ただし、メモリカードが装填されている場合）。あるいは、モニタ２２にエラーメッセージを表示させるようにしてもよい。
【０１０９】
また、同じ電池残量のものがある場合は、たとえば、登録が先のものを優先して記録先に設定するようにする。
【０１１０】
以上のように記録先とするポータブルストレージを設定し、設定した記録先を例えば図６に示すようにモニタ２２に表示する（ステップＳ３８）。この後、ＣＰＵ７２は、撮影実行の指示の有無を判定し（ステップＳ３９）、指示を受けた後、撮影を実行して、撮影した画像データを設定された記録先に記録する（ステップＳ４０）。
【０１１１】
このように、複数のポータブルストレージが登録されている場合は、電池残量の最も多いポータブルストレージを記録先に設定して、画像データの記録を行うようにしてもよい。
【０１１２】
なお、本例では、電池残量が最も多いポータブルストレージを記録先に設定するようにしたが、電池残量が最も少ないポータブルストレージを記録先に設定するようにしてもよい。
【０１１３】
次に、（３）動画撮影と静止画撮影のモードに応じて記録先を切り換える場合について説明する。
【０１１４】
この場合、動画撮影の時は、動画記録用に登録されたポータブルストレージに画像データ記録され、静止画撮影の時は、静止画記録用に登録されたポータブルストレージに画像データが記録される。
【０１１５】
まず、ポータブルストレージの登録が行われる。登録は上記と同様にメニュー画面で行うものとし、動画記録用と静止画記録用のそれぞれについて、記録先とするポータブルストレージの登録を行う。登録されたポータブルストレージのＩＤは、動画記録用と静止画記録用に分けてそれぞれＥＥＰＲＯＭ７８の所定の記憶領域に記録される。
【０１１６】
なお、複数のポータブルストレージを登録する場合についてのみ動画記録用と静止画記録用に分けて登録するようにしてもよい。
【０１１７】
また、複数のポータブルストレージを登録した後、特定のポータブルストレージについて動画記録用又は静止画記録用に設定するようにしてもよい。
【０１１８】
図８は、動画撮影と静止画撮影のモードに応じて記録先を自動設定する場合の処理手順を示すフローチャートである。
【０１１９】
まず、ＣＰＵ７２は、撮影された画像データの記録先がポータブルストレージに設定されているか否か判定する（ステップＳ５０）。
【０１２０】
記録先がポータブルストレージに設定されていると判定した場合、ＣＰＵ７２は、モードの設定状態を検出する（ステップＳ５１）。すなわち、撮影のモードが「静止画撮影モード」に設定されているか、「動画撮影モード」に設定されているかをモードスイッチ２６の設定状態から検出する。
【０１２１】
そして、この検出結果に基づいて撮影のモードが「静止画撮影モード」に設定されているか否か判定する（ステップＳ５２）。この判定の結果、撮影のモードが、「静止画撮影モード」に設定されていると判定すると、ＣＰＵ７２は、撮影した画像データの記録先に静止画記録用のポータブルストレージを設定する（ステップＳ５３）。一方、撮影のモードが、「静止画撮影モード」に設定されていないと判定すると、ＣＰＵ７２は、画像の記録先に動画記録用のポータブルストレージを設定する（ステップＳ５４）。
【０１２２】
以上のように記録先とするポータブルストレージを設定し、設定した記録先を例えば図６に示すようにモニタ２２に表示する（ステップＳ５５）。この後、ＣＰＵ７２は、撮影実行の指示の有無を判定し（ステップＳ５６）、指示を受けた後、撮影を実行して、撮影した画像データを設定された記録先に記録する（ステップＳ５７）。すなわち、静止画撮影モードで撮影された画像データは、静止画記録用として登録されたポータブルストレージに記録し、動画撮影モードで撮影された画像データは、動画記録用として登録されたポータブルストレージに記録する。
【０１２３】
このように、撮影のモードに応じて記録先に設定し、画像データの記録を行うようにしてもよい。これにより、画像データの管理が容易になる。
【０１２４】
なお、本例では、動画記録用と静止画記録用のそれぞれについて一枚ずつポータブルストレージを登録するようにしているが、複数枚を登録するようにしてもよい。この場合、記録先は登録順でもよいし、空き容量に応じて設定するようにしてもよい（たとえば、空き容量の最も少ないもの又は最も多いものを記録先に設定する。）。また、電池残量に応じて設定するようにしてもよい（電池残量が最も多いものを記録先に設定する。）。
【０１２５】
次に、（４）露出制御のモードに応じて記録先を切り換える場合について説明する。
【０１２６】
露出制御のモードとしては、たとえば、（１）オートＡＥ、（２）プログラムＡＥ、（３）絞り優先ＡＥ、（４）シャッタ速度優先ＡＥ、（５）マニュアルＡＥが挙げられる。この露出制御モードの設定は、フォトモードボタン３４を押すことによってモニタ２２に表示される設定画面で行われ、設定された露出制御モードに応じて記録先を切り換えるようにする。
【０１２７】
この場合、まず、モードごとにポータブルストレージの登録が行われる。登録は上記と同様にメニュー画面で行うものとし、各モードについて記録先とするポータブルストレージの登録を行う。登録されたポータブルストレージのＩＤは、モードごとにそれぞれＥＥＰＲＯＭ７８の所定の記憶領域に記録される。
【０１２８】
なお、複数のポータブルストレージを登録する場合についてのみモードに応じて記録先を分けるようにしてもよい。
【０１２９】
また、複数のポータブルストレージを登録した後、特定のモードについて記録先とするポータブルストレージを設定するようにしてもよい。
【０１３０】
図９は、露出制御のモードに応じて記録先を自動設定する場合の処理手順を示すフローチャートである。
【０１３１】
まず、ＣＰＵ７２は、撮影された画像データの記録先がポータブルストレージに設定されているか否か判定する（ステップＳ６０）。
【０１３２】
記録先がポータブルストレージに設定されていると判定した場合、ＣＰＵ７２は、露出制御モードの設定状態を検出する（ステップＳ６１）。すなわち、露出制御モードが、（１）オートＡＥ、（２）プログラムＡＥ、（３）絞り優先ＡＥ、（４）シャッタ速度優先ＡＥ、（５）マニュアルＡＥのいずれに設定されているか検出する。そして、その検出結果に基づいて記録先を設定する（ステップＳ６２）。すなわち、たとえば露出制御モードが、「オートＡＥ」に設定されている場合は、オートＡＥ用に登録されたポータブルストレージが、「プログラムＡＥ」に設定されている場合は、プログラムＡＥ用に登録されたポータブルストレージが、「絞り優先ＡＥ」に設定されている場合は、絞り優先ＡＥ用に登録されたポータブルストレージが、「シャッタ速度優先ＡＥ」に設定されている場合は、シャッタ速度優先ＡＥ用に登録されたポータブルストレージが、「マニュアルＡＥ」に設定されている場合は、マニュアルＡＥ用に登録されたポータブルストレージが記録先に設定される。
【０１３３】
このように設定された露出制御モードに応じて記録先とするポータブルストレージを設定する。そして、設定した記録先を例えば図６に示すようにモニタ２２に表示する（ステップＳ６３）。この後、ＣＰＵ７２は、撮影実行の指示の有無を判定し（ステップＳ６４）、指示を受けた後、撮影を実行して、撮影した画像データを設定された記録先に記録する（ステップＳ６５）。
【０１３４】
このように、設定された露出制御モードに応じて記録先とするポータブルストレージを設定し、画像データの記録を行うようにしてもよい。これにより、画像データの管理が容易になる。
【０１３５】
なお、本例では、各露出制御モードについて、それぞれ一枚ずつポータブルストレージを登録するようにしているが、各露出撮影モードについて複数枚のポータブルストレージを登録するようにしてもよい。この場合、各露出制御モードごとの記録先は、登録順でもよいし、空き容量に応じて設定するようにしてもよい（たとえば、空き容量の最も少ないもの又は最も多いものを記録先に設定する。）。また、電池残量に応じて設定するようにしてもよい（電池残量が最も多いものを記録先に設定する。）。
【０１３６】
次に、（５）シーン撮影モードに応じて記録先を切り換える場合について説明する。
【０１３７】
シーン撮影モードとは、撮影シーンに応じて最適な撮影処理がなされるように自動設定されるモードであり、たとえば、（１）スポーツ撮影に適した処理が行われるスポーツモード、（２）風景撮影に適した処理が行われる風景モード、（３）夜景撮影に適した処理が行われる夜景モード、（４）ポートレート撮影に適した処理が行われるポートレートモード、（５）接写に適した処理がなされる接写モード、（６）パノラマ撮影に適した処理がなされるパノラマモード等が挙げられる。このシーン撮影モードの設定は、フォトモードボタン３４を押すことによってモニタ２２に表示される設定画面で行われ、設定されたモードに応じて記録先を切り換えるようにする。
【０１３８】
この場合、まず、モードごとにポータブルストレージの登録が行われる。登録は上記と同様にメニュー画面で行うものとし、各モードについて記録先とするポータブルストレージの登録を行う。登録されたポータブルストレージのＩＤは、モードごとにそれぞれＥＥＰＲＯＭ７８の所定の記憶領域に記録される。
【０１３９】
なお、複数のポータブルストレージを登録する場合についてのみモードに応じて記録先を分けるようにしてもよい。
【０１４０】
また、複数のポータブルストレージを登録した後、特定のモードについて記録先とするポータブルストレージを設定するようにしてもよい。
【０１４１】
図１０は、シーン撮影モードに応じて記録先を自動設定する場合の処理手順を示すフローチャートである。
【０１４２】
まず、ＣＰＵ７２は、撮影された画像データの記録先がポータブルストレージに設定されているか否か判定する（ステップＳ７０）。
【０１４３】
記録先がポータブルストレージに設定されていると判定した場合、ＣＰＵ７２は、シーン撮影モードの設定状態を検出する（ステップＳ７１）。すなわち、シーン撮影モードが、（１）スポーツモード、（２）風景モード、（３）夜景モード、（４）ポートレートモード、（５）接写モード、（６）パノラマモードのいずれに設定されているか検出する。そして、その検出結果に基づいて記録先を設定する（ステップＳ７２）。すなわち、たとえば露出制御モードが、「オートＡＥ」に設定されている場合は、オートＡＥ用に登録されたポータブルストレージが、「プログラムＡＥ」に設定されている場合は、プログラムＡＥ用に登録されたポータブルストレージが、「絞り優先ＡＥ」に設定されている場合は、絞り優先ＡＥ用に登録されたポータブルストレージが、「シャッタ速度優先ＡＥ」に設定されている場合は、シャッタ速度優先ＡＥ用に登録されたポータブルストレージが、「マニュアルＡＥ」に設定されている場合は、マニュアルＡＥ用に登録されたポータブルストレージが記録先に設定される。
【０１４４】
このように設定されたシーン撮影モードに応じて記録先とするポータブルストレージを設定する。そして、設定した記録先を例えば図６に示すようにモニタ２２に表示する（ステップＳ７３）。この後、ＣＰＵ７２は、撮影実行の指示の有無を判定し（ステップＳ７４）、指示を受けた後、撮影を実行して、撮影した画像データを設定された記録先に記録する（ステップＳ７５）。
【０１４５】
このように、設定されたシーン撮影モードに応じて記録先とするポータブルストレージを設定し、画像データの記録を行うようにしてもよい。これにより、画像データの管理が容易になる。
【０１４６】
なお、本例では、一つのモードに対して一枚のポータブルストレージを登録するようにしているが、一つのモードに対して複数枚のポータブルストレージを登録するようにしてもよい。この場合、各モードに対する記録先の設定は登録順でもよいし、空き容量に応じて行うようにしてもよい（たとえば、空き容量の最も少ないもの又は最も多いものを記録先に設定する。）。また、電池残量に応じて設定するようにしてもよい（電池残量が最も多いものを記録先に設定する。）。
【０１４７】
なお、上記の例で説明したシーン撮影モードは一例であり、他のシーン撮影モードを用意するようにしてもよい。
【０１４８】
次に、（６）撮影条件に応じて記録先を切り換える場合について説明する。
【０１４９】
この場合、撮影条件に応じて記録先とするポータブルストレージが切り換えられる。たとえば、ストロボ撮影した場合には、ストロボ撮影用のポータブルストレージに画像データが記録され、マクロ撮影した場合には、マクロ撮影用のポータブルストレージに画像データが記録される。
【０１５０】
まず、撮影条件ごとにポータブルストレージの登録が行われる。登録は上記と同様にメニュー画面で行うものとし、各撮影条件について記録先とするポータブルストレージの登録を行う。登録されたポータブルストレージのＩＤは、撮影条件ごとにそれぞれＥＥＰＲＯＭ７８の所定の記憶領域に記録される。
【０１５１】
なお、複数のポータブルストレージを登録する場合についてのみ撮影条件に応じて記録先を分けるようにしてもよい。
【０１５２】
また、複数のポータブルストレージを登録した後、特定の撮影条件について記録先とするポータブルストレージを設定するようにしてもよい。
【０１５３】
図１１は、撮影条件に応じて記録先を自動設定する場合の処理手順を示すフローチャートである。
【０１５４】
まず、ＣＰＵ７２は、撮影された画像データの記録先がポータブルストレージに設定されているか否か判定する（ステップＳ８０）。
【０１５５】
記録先がポータブルストレージに設定されていると判定した場合、ＣＰＵ７２は、設定された撮影条件を検出する（ステップＳ８１）。そして、検出された撮影条件に対応するポータブルストレージを検出する（ステップＳ８２）。そして、その検出結果から設定された撮影条件に対応するポータブルストレージの有無を判定する（ステップＳ８３）。
【０１５６】
この結果、設定された撮影条件に対応するポータブルストレージがあると判定すると、ＣＰＵ７２は、検出されたポータブルストレージを画像データの記録先に設定する（ステップＳ８４）。
【０１５７】
一方、設定された撮影条件に対応するポータブルストレージがないと判定すると、ＣＰＵ７２は、規定のポータブルストレージ（登録されている撮影条件で撮影された画像データが記録されるポータブルストレージ）を画像データの記録先に設定する（ステップＳ８５）。
【０１５８】
このように設定された撮影条件に応じて記録先とするポータブルストレージを設定する。そして、設定した記録先を例えば図６に示すようにモニタ２２に表示する（ステップＳ８６）。この後、ＣＰＵ７２は、撮影実行の指示の有無を判定し（ステップＳ８７）、指示を受けた後、撮影を実行して、撮影した画像データを設定された記録先に記録する（ステップＳ８７）。
【０１５９】
このように、設定された撮影条件に応じて記録先とするポータブルストレージを設定し、画像データの記録を行うようにしてもよい。これにより、画像データの管理が容易になる。
【０１６０】
なお、本例では、一つの撮影条件に対して一枚のポータブルストレージを登録するようにしているが、一つの撮影条件に対して複数枚のポータブルストレージを登録するようにしてもよい。この場合、撮影条件ごとの記録先は登録順でもよいし、空き容量に応じて設定するようにしてもよい（たとえば、空き容量の最も少ないもの又は最も多いものを記録先に設定する。）。また、電池残量に応じて設定するようにしてもよい（電池残量が最も多いものを記録先に設定する。）。
【０１６１】
なお、上記の例で説明した撮影条件は一例であり、他の撮影条件を用意するようにしてもよい。たとえば、特定の露出条件ごとに記録先とするポータブルストレージを設定するようにしてもよいし、特定のシャッタ速度ごと、絞り値ごと、感度ごと、画像サイズごと記録先とするポータブルストレージを設定するようにしてもよい。これにより、画像の管理がさらに容易になる。
【０１６２】
なお、上記一連の例では、デジタルカメラ側で条件に応じた記録先を設定するようにしているが、ポータブルストレージ側に記録可能な条件を設定しておき、これをデジタルカメラ側で読み取って記録先を設定するようにしてもよい。たとえば、ポータブルストレージ側に記録可能な撮影条件の情報を記録しておき、これをデジタルカメラ側で読み取って記録先を設定する。記録可能な条件の設定は、たとえばＰＣ等の外部機器で行うようにしてもよいし、また、ポータブルストレージ自体に設定機能を持たせるようにしてもよい。
【０１６３】
また、上記実施の形態では、１つのデジタルカメラで複数のポータブルストレージを使う場合について説明したが、複数のデジタルカメラで１つ又は複数のポータブルストレージを使うこともできる。
【０１６４】
また、上記実施の形態では、ポータブルストレージ２の形状をカード状としているが、ポータブルストレージの形状は、これに限定されるものではない。たとえば、スティック状や円盤状、球状等さまざまな形状に形成することができる。
【０１６５】
また、本例ではデジタルカメラ１から分離したポータブルストレージ２をデジタルカメラ１に対して非接触で使用する場合を例に説明したが、通信方式に応じてデジタルカメラ１に接触させて使用するようにしてもよい。たとえば、通信方式に無線タグを用いた場合には、デジタルカメラの外装にポータブルストレージを接触又は装着させて使用するようにしてもよい。
【０１６６】
また、ポータブルストレージ２にカードスロットを設け、記録メディアを交換できるようにしてもよい。
【０１６７】
また、本実施の形態では、デジタルカメラ１にカードスロットを設け、そのカードスロットに装填されたメモリカードにも画像データを記録できるようにしているが、デジタルカメラ１には記憶手段を設けず、専らポータブルストレージに画像データを記録するようにしてもよい。
【０１６８】
さらに、上述した実施の形態では、本実施の形態をいわゆるデジタルカメラに適用した場合を例に説明したが、本発明の適用は、これに限定されるものではなく、カメラ付き携帯電話機等のデジタルカメラの機能を備えた電子機器にも同様に適用することができる。
【図面の簡単な説明】
【０１６９】
【図１】本発明が適用されたデジタルカメラの構成を示す正面斜視図
【図２】本発明が適用されたデジタルカメラの構成を示す背面斜視図
【図３】デジタルカメラとポータブルストレージの電気的構成を示すブロック図
【図４】モニタの表示例を示す図
【図５】ポータブルストレージの空き容量に応じて記録先を自動設定する場合の処理手順を示すフローチャート
【図６】モニタの表示例を示す図
【図７】ポータブルストレージの電池残量に応じて記録先を自動設定する場合の処理手順を示すフローチャート
【図８】動画撮影と静止画撮影のモードに応じて記録先を自動設定する場合の処理手順を示すフローチャート
【図９】露出制御のモードに応じて記録先を自動設定する場合の処理手順を示すフローチャート
【図１０】シーン撮影モードに応じて記録先を自動設定する場合の処理手順を示すフローチャート
【図１１】撮影条件に応じて記録先を自動設定する場合の処理手順を示すフローチャート
【符号の説明】
【０１７０】
１…デジタルカメラ、２…ポータブルストレージ、１０…カメラボディ、１２…撮影レンズ、１４…ストロボ、１６…ファインダ窓、１８…シャッタボタン、２０…電源スイッチ、２２…モニタ、２４…ファインダ接眼部、２６…モードスイッチ、２８…マクロボタン、３０…ズームレバー、３２…ストロボボタン、３４…フォトモードボタン、３６…ＭＥＮＵ／ＯＫボタン、３８…ＢＡＣＫボタン、５０…撮像素子、５２…アナログ信号処理部、５３…Ａ／Ｄ変換器、５４…画像入力コントローラ、５６…デジタル信号処理部、５８…圧縮伸張処理部、６０…表示制御部、６２…無線通信部、６４…電源制御部、６６…電池、６８…ストロボ制御部、７０…操作部、７２…ＣＰＵ、７４…ＲＡＭ、７６…ＲＯＭ、７８…ＥＥＰＲＯＭ、８０…メディアコントローラ、８２…メモリカード、９０…マイコン、９２…記憶メディア、９４…無線通信部、９６…電源制御部、９８…電池、１００…電池残量検出部
【図１】
2006303573.tif 000003
【図２】
2006303573.tif 000004
【図３】
2006303573.tif 000005
【図４】
2006303573.tif 000006
【図５】
2006303573.tif 000007
【図６】
2006303573.tif 000008
【図７】
2006303573.tif 000009
【図８】
2006303573.tif 000010
【図９】
2006303573.tif 000011
【図１０】
2006303573.tif 000012
【図１１】
2006303573.tif 000013